【手続補正書】
【提出日】平成16年9月30日(2004.9.30)
【手続補正１】
【補正対象書類名】明細書
【補正対象項目名】特許請求の範囲
【補正方法】変更
【補正の内容】
【特許請求の範囲】
【請求項１】 複数のチャネルを介して受信したシンボルを記憶するためのバッファ構造であって、各チャネルは、受信したシンボルが次に処理される特定の時間間隔に相関しており、前記バッファ構造は、
各チャネルに対して１つのセクションとなるように、複数のセクションに分割されたバッファであって、前記複数のセクションが前記相関する時間間隔に基づいて前記複数のチャネルに割当てられたバッファと、
前記バッファに接続され、シンボルを前記割当てられたセクションに書き込むためのアドレスを供給するアドレス発生器とを備え、
前記バッファは、各最も短い時間間隔の開始以前に分割され割当てられる。
【請求項２】 各セクションは循環バッファとして動作する請求項１のバッファ構造。
【請求項３】 各チャネルはＷ−ＣＤＭＡ規格により定義される物理チャネルに相当する請求項１のバッファ構造。
【請求項４】 各チャネルはＷ−ＣＤＭＡ規格により定義されるトランスポートチャネルに相当する、請求項１のバッファ構造。
【請求項５】  各チャネルに相関する時間間隔はＷ−ＣＤＭＡ規格により定義される送信時間間隔（ＴＴＩ）に相当する、請求項４のバッファ構造。
【請求項６】 各チャネルに相関する時間間隔は、１０ｍｓｅｃ、２０ｍｓｅｃ、４０ｍｓｅｃおよび８０ｍｓｅｃから構成されるグループから選択される、請求項１のバッファ構造。
【請求項７】 前記複数のセクションは相関する時間間隔の降順に前記複数のチャネルに割当てられる、請求項１のバッファ構造。
【請求項８】 前記バッファはイニシャルロケーションから開始して分割され前記バッファの第１の方向に沿って続行する、請求項１のバッファ構造。
【請求項９】  各セクションはイニシャルロケーションまたは以前のセクションの終わりから開始して定義される、請求項８のバッファ構造。
【請求項１０】 セクションが割当てられるチャネルに相関する時間間隔内で受信することになっているすべてのシンボルを記憶するようなサイズを有する、請求項１のバッファ構造。
【請求項１１】 前記アドレス発生器は各割当てられたセクションに対する書き込みポインタを維持するように動作する、請求項１のバッファ構造。
【請求項１２】 複数のチャネルを介して受信したシンボルを記憶するためのバッファ構造であって、各チャネルは、受信したシンボルが次に処理される特定の時間間隔に相関しており、前記バッファ構造は、
各チャネルに対して１つのセクションとなるように、複数のセクションに分割されたバッファであって、前記相関する時間間隔に基づいて前記複数のセクションが前記複数のチャネルに割当てられるバッファと、
前記バッファに接続され、シンボルを前記割当てられたセクションに書き込むためのアドレスを供給するアドレス発生器とを備え、
前記複数のチャネルは１つ以上のチャネルの第１のグループと、１つ以上のチャネルの第２のグループを含み、前記第１のグループの１つ以上のチャネルに割当てられた１つ以上のセクションは第１のイニシャルロケーションから開始して定義され、前記バッファの第１の方向に沿って続行し、前記第２のグループの１つ以上のチャネルに割り当てられた１つ以上のセクションは第２のイニシャルロケーションから開始して定義され前記バッファの第２の方向に沿って続行する。
【請求項１３】 複数のチャネルを介して受信したシンボルを記憶するためのバッファ構造であって、各チャネルは、受信したシンボルが次に処理される特定の時間間隔に相関しており、前記バッファ構造は、
各チャネルに対して１つのセクションとなるように、複数のセクションに分割されたバッファであって、前記相関する時間間隔に基づいて前記複数のセクションが前記複数のチャネルに割当てられるバッファと、
前記バッファに接続され、シンボルを前記割当てられたセクションに書き込むためのアドレスを供給するアドレス発生器とを備え、
前記複数のチャネルは１つ以上のチャネルの第１のグループと、１つ以上のチャネルの第２のグループを含み、前記第１のグループの１つ以上のチャネルに割当てられた１つ以上のセクションは第１のイニシャルロケーションから開始して定義され、前記バッファの第１の方向に沿って続行し、前記第２のグループの１つ以上のチャネルに割り当てられた１つ以上のセクションは第２のイニシャルロケーションから開始して定義され前記バッファの第２の方向に沿って続行し、前記第１および第２のイニシャルロケーションは共通のロケーションとして選択され、前記第１および第２の方向は、正反対の方向である。
【請求項１４】 複数のチャネルを介して受信したシンボルを記憶するためのバッファ構造であって、各チャネルは、受信したシンボルが次に処理される特定の時間間隔に相関しており、前記バッファ構造は、
各チャネルに対して１つのセクションとなるように、複数のセクションに分割されたバッファであって、前記相関する時間間隔に基づいて前記複数のセクションが前記複数のチャネルに割当てられたバッファと、
前記バッファに接続され、シンボルを前記割当てられたセクションに書き込むためのアドレスを供給するアドレス発生器とを備え、
前記アドレス発生器は各割当てられたセクションに対する書き込みポインタを維持するように動作し、前記アドレス発生器は各割当てられたセクションに対する開始ロケーションを維持するようにさらに動作する。
【請求項１５】 通信システムにおいて、複数のチャネルを介して受信したシンボルを処理するように動作する受信器装置であって、各チャネルは、前記受信したシンボルが次に処理される特定の時間間隔に相関しており、前記受信機装置は、
前記複数のチャネルに対して受信したサンプルを処理し、シンボルを供給するように動作するチャネルプロセッサと、
前記チャネルプロセッサに接続され、前記チャネルプロセッサからのシンボルを記憶するように動作するバッファであって、前記バッファは、各チャネルに対して１つのセクションが対応するように複数のセクションに分割され、前記複数のセクションは、前記相関する時間間隔に基づいて前記複数のチャネルに割当てられているバッファと、
前記バッファに接続され、前記バッファの割当てられたセクションからの特定のトラヒックに対してシンボルを検索し、前記検索したシンボルを処理するように動作するデータプロセッサとを備え、
前記複数のチャネルは１つ以上のチャネルの第１のグループと、１つ以上のチャネルの第２のグループを含み、前記第１のグループの１つ以上のチャネルに割当てられた１つ以上のセクションは第１のイニシャルロケーションから開始して定義され、前記バッファの第１の方向に沿って続行し、前記第２のグループの１つ以上のチャネルに割り当てられた１つ以上のセクションは第２のイニシャルロケーションから開始して定義され前記バッファの第２の方向に沿って続行する。
【請求項１６】 前記チャネルプロセッサからのシンボルはバッファの置換されたロケーションに記憶され第２デインターリービングを達成する、請求項１５の受信器装置。
【請求項１７】 特定のトラヒックに対するシンボルは割当てられたセクションの置換されたロケーションから検索され、第１デインターリービングを達成する、請求項１５の受信器装置。
【請求項１８】 前記バッファに接続され、シンボルを前記複数のセクションに書き込むためのアドレスを供給するアドレス発生器をさらに具備する、請求項１５の受信器装置。
【請求項１９】 前記チャネルプロセッサおよびデータプロセッサに接続されたコントローラをさらに具備し、前記コントローラは前記複数のセクションにシンボルを書き込む指示をし、前記複数のセクションからシンボルを読み出す指示をするように動作する、請求項１５の受信器装置。
【請求項２０】 前記データプロセッサと接続され、前記データプロセッサにより処理されたシンボルを受信し復号するように動作するデコーダをさらに具備する、請求項１５の受信器装置。
【請求項２１】 請求項１５の前記チャネルプロセッサ、バッファ、およびデータプロセッサを具備する受信器装置であって、Ｗ−ＣＤＭＡ規格に従ってダウンリンクデータ送信を処理するように動作する受信器装置。
【請求項２２】 請求項１５の前記チャネルプロセッサ、バッファ、およびデータプロセッサを具備する受信器装置であって、Ｗ−ＣＤＭＡ規格に従ってアップリンクデータ送信を処理するように動作する受信器装置。
【請求項２３】 複数のチャネルを介して受信したシンボルを記憶する方法であって、各チャネルは、前記受信したシンボルが次に処理される特定の時間間隔に相関しており、前記方法は、
受信され処理される複数のチャネルを識別することと、
各チャネルに相関して時間間隔を決定することと、
バッファの複数のセクションを前記相関する時間間隔に従って前記複数のチャネルに割当てることと、
前記複数のチャネルから受信したシンボルを前記複数の割当てられたセクションに記憶することとを備え、
前記割当てることは、
前記相関する時間間隔に従って前記複数のチャネルを分類することと、
最も長い時間間隔に相関し、前記バッファのセクションがまだ割当てられていないチャネルを選択することと、
次に利用可能なバッファのセクションを選択されたチャネルに割当て、次に利用可能なセクションは開始ロケーションまたは先行して割当てられたセクションの終わりから定義されることと、
前記複数のチャネルに対して前記選択を割当てを反復することとを含む。
【請求項２４】 前記複数のセクションはイニシャルロケーションから開始して定義され前記バッファの第１の方向に沿って続行する、請求項２３の方法。
【請求項２５】 複数のチャネルを介して受信したシンボルを記憶する方法であって、各チャネルは、前記受信したシンボルが次に処理される特定の時間間隔に相関しており、前記方法は、
受信され処理される複数のチャネルを識別することと、
各チャネルに相関して時間間隔を決定することと、
バッファの複数のセクションを前記相関する時間間隔に従って前記複数のチャネルに割当てることと、
前記複数のチャネルから受信したシンボルを前記複数の割当てられたセクションに記憶することとを備え、
前記割当てることは、
前記相関する時間間隔に従って前記複数のチャネルを分類することと、
最も長い時間間隔に相関し、前記バッファのセクションがまだ割当てられていないチャネルを選択することと、
次に利用可能なバッファのセクションを選択されたチャネルに割当て、次に利用可能なセクションは開始ロケーションまたは先行して割当てられたセクションの終わりから定義されることと、
前記複数のチャネルに対して前記選択を割当てを反復することとを含み、
前記割当てることは更に、
前記選択されたチャネルに関して受信したトラヒックのサイズを決定することと、
前記選択されたチャネルに割当てられた次に利用可能なセクションは前記決定されたトラヒックサイズに基づいて定義されることとを含む。
【請求項２６】 複数のチャネルを介して受信したシンボルを記憶する方法であって、各チャネルは、前記受信したシンボルが次に処理される特定の時間間隔に相関しており、前記方法は、
受信され処理される複数のチャネルを識別することと、
各チャネルに相関して時間間隔を決定することと、
バッファの複数のセクションを前記相関する時間間隔に従って前記複数のチャネルに割当てることと、
前記複数のチャネルから受信したシンボルを前記複数の割当てられたセクションに記憶することとを備え、
更に、前記複数のチャネルを１つ以上のチャネルの第１のグループと１つ以上のチャネルの第２のグループにグループ分けすることを備え、
前記割当てることは、
前記相関する時間間隔に従って、前記バッファの第１の方向に沿って定義された１つ以上のセクションを前記第１のグループの１つ以上のチャネルに割当てる第１の割り当てることと、
前記相関する時間間隔に従って、前記バッファの第２の方向に沿って定義された１つ以上のセクションを前記第２のグループの１つ以上のチャネルに割当てる第２の割り当てることとを含む。
【請求項２７】 複数のチャネルを介して受信したシンボルを記憶する方法であって、各チャネルは、前記受信したシンボルが次に処理される特定の時間間隔に相関しており、前記方法は、
受信され処理される複数のチャネルを識別することと、
各チャネルに相関して時間間隔を決定することと、
バッファの複数のセクションを前記相関する時間間隔に従って前記複数のチャネルに割当てることと、
前記複数のチャネルから受信したシンボルを前記複数の割当てられたセクションに記憶することとを備え、
更に、前記複数のチャネルを１つ以上のチャネルの第１のグループと１つ以上のチャネルの第２のグループにグループ分けすることを備え、
前記割当てることは、
前記相関する時間間隔に従って、前記バッファの第１の方向に沿って定義された１つ以上のセクションを前記第１のグループの１つ以上のチャネルに割当てる第１の割当てることと、
前記相関する時間間隔に従って、前記バッファの第２の方向に沿って定義された１つ以上のセクションを前記第２のグループの１つ以上のチャネルに割当てる第２の割当てることとを含み、
前記第１および第２のグループの１つ以上のチャネルは、Ｗ−ＣＤＭＡ規格により定義される、それぞれ第１および第２の復号トランスポートチャネル（ＣＣＴｒＣＨ）に相関する方法。